(57)【要約】【課題】製造コストを低減することができる掃除口付き排水管を提供する。【解決手段】主管１１と枝管１２と蓋１３と２つの継手部材１４とを有している。主管１１および枝管１２は、透明な材質から成る。枝管１２は、主管１１と連通してその側面に突出して設けられている。蓋１３は、枝管１２にその開口１２ａを塞ぐよう着脱可能に設けられている。各継手部材１４は、主管１１の両端を排水管１の端部に着脱可能に接続し、緩めたとき主管１１を支持したままその中心軸線を中心として回転可能に設けられている。【選択図】図１
2005232929.tif 000002
【特許請求の範囲】
【請求項１】
排水管に取り付けられる掃除口付き排水管であって、
主管と枝管と蓋と２つの継手部材とを有し、
前記枝管は前記主管と連通してその側面に突出して設けられ、
前記蓋は前記枝管にその開口を塞ぐよう着脱可能に設けられ、
各継手部材は前記主管の両端を前記排水管の端部に着脱可能に接続し、緩めたとき前記主管を支持したままその中心軸線を中心として回転可能に設けられていることを、
特徴とする掃除口付き排水管。
【請求項２】
前記主管および前記枝管は透明な材質から成ることを、特徴とする請求項１記載の掃除口付き排水管。
【発明の詳細な説明】
【技術分野】
【０００１】
本発明は、排水管に取り付けられる掃除口付き排水管に関する。
【背景技術】
【０００２】
従来の排水管では、排水管の詰まりを解消したりゴミを除去したりするために、掃除口が設けられている（例えば、特許文献１または２参照）。掃除口には、パッキンなどにより気密的に排水管に固定されるもの（例えば、特許文献３参照）や、気密的かつ回転可能に排水管に接続されるものがある（例えば、特許文献４参照）。
【０００３】
【特許文献１】実開昭５７−１３３６８８号公報
【特許文献２】実開昭５７−１５９０９１号公報
【特許文献３】特開昭５７−９７９８７号公報
【特許文献４】実開昭５９−３０９９３号公報
【発明の開示】
【発明が解決しようとする課題】
【０００４】
しかしながら、一般的な工場用の排水管は、家庭用の排水管に比べてスケールやゴミが付着しやすく水が溜まりやすいため、バキューム清掃等の前に水抜きを行う必要がある。このため、特許文献１乃至４に記載の掃除口付き排水管では、掃除口とは別に水抜き口を設けなければならず、製造コストが嵩むという課題があった。
【０００５】
本発明は、このような課題に着目してなされたもので、製造コストを低減することができる掃除口付き排水管を提供することを目的としている。
【課題を解決するための手段】
【０００６】
上記目的を達成するために、本発明に係る掃除口付き排水管は、排水管に取り付けられる掃除口付き排水管であって、主管と枝管と蓋と２つの継手部材とを有し、前記枝管は前記主管と連通してその側面に突出して設けられ、前記蓋は前記枝管にその開口を塞ぐよう着脱可能に設けられ、各継手部材は前記主管の両端を前記排水管の端部に着脱可能に接続し、緩めたとき前記主管を支持したままその中心軸線を中心として回転可能に設けられていることを、特徴とする。
【０００７】
本発明に係る掃除口付き排水管は、ほぼ水平に施工されている排水管に取り付けて使用される。本発明に係る掃除口付き排水管は、各継手部材により主管の両端を排水管の端部に接続して使用される。通常は枝管の内部にゴミなどが溜まらないよう、枝管を主管の上側に配置して主管を排水管に接続しておく。水抜きを行うときには、各継手部材を緩め、枝管が主管の下側に配置されるよう主管をその中心軸線を中心として回転させる。このとき、各継手部材により主管を支持したまま回転させることができるため、主管を落ちないよう手で支える必要がなく、落下による破損を防止できるとともに回転を容易にすることができる。この状態で、蓋をはずせば、開口から水抜きを行うことができる。水抜き後、蓋で開口を塞ぎ、枝管が主管の上側に配置されるよう主管を回転させて、各継手部材を締め付ける。
【０００８】
排水管内の掃除を行うときには、枝管が主管の上側に配置された状態で、蓋をはずす。枝管の開口から内部にホースや吸引ノズルなどを挿入して掃除を行うことができる。このように、本発明に係る掃除口付き排水管は、水抜きのとき枝管の開口を下側に向け、掃除のときその開口を上側に向けることにより、１つの開口で掃除と水抜きとを兼ねることができる。このため、掃除口と水抜き口とを別々に設ける必要がなく、製造コストを低減することができる。また、各継手部材を緩めて主管を回転させることにより容易に枝管の向きを変えることができるので、作業性がよい。
【０００９】
本発明に係る掃除口付き排水管で、前記主管および前記枝管は透明な材質から成ることが好ましい。この構成では、主管および枝管の中のスケールやゴミ、水などが溜まっている状況を外側から見ることができる。このため、掃除または水抜きが必要な状態かどうかを判断しやすく、維持管理が容易である。また、主管および枝管の中の状況を外側から見て確認しながら、掃除および水抜きを進めることができる。
【発明の効果】
【００１０】
本発明によれば、製造コストを低減することができる掃除口付き排水管を提供することができる。
【発明を実施するための最良の形態】
【００１１】
以下、図面に基づき、本発明の実施の形態について説明する。
図１乃至図３は、本発明の実施の形態の掃除口付き排水管を示している。
図１に示すように、掃除口付き排水管１０は、主管１１と枝管１２と蓋１３と２つの継手部材１４とを有している。
【００１２】
主管１１は、透明で硬質の塩化ビニル樹脂から成る。
枝管１２は、主管１１と同じ径を有する、透明で硬質の塩化ビニル樹脂から成る。枝管１２は、主管１１と連通するよう、一端が主管１１の側面に接続されている。枝管１２は、他端に開口１２ａを有し、開口１２ａが主管１１の一方の端部側に向くよう、主管１１の側面から斜めに突出して設けられている。枝管１２は、他端の外面に沿って硬質の塩化ビニル樹脂から成る補強部材１５を有している。補強部材１５は、枝管１２の外面に沿って開口１２ａから一部突出して枝管１２に固定されている。補強部材１５は、開口１２ａから突出した部分の内周に雌ネジを有している。なお、一例では、主管１１の側面と枝管１２の側面との成す鋭角側の角度は約４５度である。
【００１３】
蓋１３は、枝管１２の開口１２ａより大きい径を有している。蓋１３は、一方の面に枝管１２の補強部材１５の雌ネジと螺合する雄ネジを有し、他方の面につまみ１３ａを有している。蓋１３は、枝管１２にその開口１２ａを塞ぐよう着脱可能に設けられている。
【００１４】
図２に示すように、各継手部材１４は、ねじ込み式排水管継手（例えば、商品名「プレハブジョイント」（旭有機材工業株式会社製））から成る。各継手部材１４は、継手本体１６とボディキャップ１７とキャップナット１８とを有している。継手本体１６は、円筒状であって、一端側の内径が主管１１の外径と一致し、他端側の内径が主管１１の外径より小さくなるよう、内径が変化して形成されている。継手本体１６は、他端側にフランジ部１６ａを有し、その外周に沿って雄ネジ部１６ｂを有している。継手本体１６は、他端側の開口面に沿ってゴム製のＯリング１６ｃが取り付けられている。
【００１５】
ボディキャップ１７は、円筒状であって、一端側の内径が排水管の外径と一致し、他端側の内径が排水管の外径より小さくなるよう、内径が変化して形成されている。ボディキャップ１７は、他端側に継手本体１６のフランジ部１６ａと外径が同じフランジ部１７ａを有している。
【００１６】
キャップナット１８は、円筒状であって、一端側の内径が継手本体１６のフランジ部１６ａおよびボディキャップ１７のフランジ部１７ａの外径と一致し、他端側の内径がボディキャップ１７の外径よりやや大きくフランジ部１７ａの外径より小さくなるよう、内径が変化して形成されている。キャップナット１８は、一端側の内周に沿って継手本体１６の雄ネジ部１６ｂと螺合する雌ネジ部１８ａを有している。
【００１７】
各継手部材１４は、継手本体１６のフランジ部１６ａとボディキャップ１７のフランジ部１７ａとをぴったりと合わせ、キャップナット１８の一端側からボディキャップ１７を挿入し、継手本体１６の雄ネジ部１６ｂとキャップナット１８の雌ネジ部１８ａとを螺合させて組み立てられる。このとき、継手本体１６のＯリング１６ｃにより、継手本体１６とボディキャップ１７との接合部からの水漏れを防ぐことができる。各継手部材１４は、継手本体１６の一端側に主管１１の端部が挿入され、接着剤により固定されている。また、ボディキャップ１７の一端側に排水管１の端部が挿入され、接着剤により固定される。こうして、各継手部材１４は、主管１１の両端を排水管１の端部に着脱可能に接続し、キャップナット１８を緩めたとき主管１１を支持したままその中心軸線を中心として回転可能に構成されている。
【００１８】
次に、作用について説明する。
図３に示すように、掃除口付き排水管１０は、ほぼ水平に施工されている排水管１に取り付けて使用される。掃除口付き排水管１０は、各継手部材１４により主管１１の両端を排水管１の端部に接続して使用される。このとき、図３（ａ）に示すように、排水が枝管１２に入り込んで流れが乱されたり枝管１２の内部にゴミが溜まったりしないよう、枝管１２を主管１１の上側に配置し、その開口１２ａを上流側に向けて主管１１を排水管１に接続する。なお、枝管１２を主管１１の下側に配置し、その開口１２ａを下流側に向けて主管１１を排水管１に接続することにより、枝管１２をゴミ除去用のドレンとして用いてもよい。
【００１９】
水抜きを行うときには、各継手部材１４のキャップナット１８を緩め、図３（ｂ）に示すように、枝管１２が主管１１の下側に配置されるよう主管１１をその中心軸線を中心として回転させる。このとき、各継手部材１４により主管１１を支持したまま回転させることができるため、主管１１を落ちないよう手で支える必要がなく、落下による破損を防止できるとともに回転を容易にすることができる。この状態で、蓋１３をはずせば、開口１２ａから水抜きを行うことができる。水抜き後、蓋１３で開口１２ａを塞ぎ、図３（ａ）に示すように、枝管１２が主管１１の上側に配置されるよう主管１１を回転させて、各継手部材１４のキャップナット１８を締め付ける。
【００２０】
排水管１内の掃除を行うときには、枝管１２が主管１１の上側に配置された状態で、蓋１３をはずす。枝管１２の開口１２ａから内部にホースや吸引ノズルなどを挿入して掃除を行うことができる。このように、掃除口付き排水管１０は、水抜きのとき枝管１２の開口１２ａを下側に向け、掃除のときその開口１２ａを上側に向けることにより、１つの開口１２ａで掃除と水抜きとを兼ねることができる。このため、掃除口と水抜き口とを別々に設ける必要がなく、製造コストを低減することができる。また、各継手部材１４のキャップナット１８を緩めて主管１１を回転させることにより容易に枝管１２の向きを変えることができるので、作業性がよい。なお、排水管１は自然流下であり水圧がかからないため、各継手部材１４のキャップナット１８を緩めて主管１１を回転させるときにも、各継手部材１４からの水漏れはない。
【００２１】
掃除口付き排水管１０は、主管１１および枝管１２が透明な材質から成っているため、主管１１および枝管１２の中のスケールやゴミ、水などが溜まっている状況を外側から見ることができる。このため、掃除または水抜きが必要な状態かどうかを判断しやすく、維持管理が容易である。また、主管１１および枝管１２の中の状況を外側から見て確認しながら、掃除および水抜きを進めることができる。
【００２２】
また、各継手部材１４が主管１１の両端を排水管１の端部に着脱可能に接続しているため、開口１２ａからの掃除で取れなかったゴミを主管１１をはずして取ることができ、排水管１の維持管理が容易である。さらに、主管１１や枝管１２が破損したときに主管１１を取りはずし、容易に修理や交換を行うこともできる。
【００２３】
なお、図３に示すように、掃除口付き排水管１０は、排水管路に所定の間隔を開けて複数接続して使用されてもよい。掃除口付き排水管１０は、枝管１２の開口１２ａを上流側に向けて接続しているため、排水管１内の掃除を行うとき枝管１２より下流側の掃除が容易である。このため、一つの掃除口付き排水管１０の掃除範囲を、その掃除口付き排水管１０の枝管１２から下流側の次の掃除口付き排水管１０の枝管１２までの範囲にすることにより、効率よく排水管１の掃除を進めることができる。また、掃除口付き排水管１０の間に挟まれた排水管１が破損したとき、その排水管１だけを取り外して修理や交換を行うことができ、維持管理が容易である。
【図面の簡単な説明】
【００２４】
【図１】本発明の実施の形態の掃除口付き排水管を示す（ａ）正面図、（ｂ）平面図である。
【図２】図１に示す掃除口付き排水管の継手部材を示す（ａ）斜視図、（ｂ）分解斜視図である。
【図３】図１に示す掃除口付き排水管の使用状況を示す（ａ）常態または掃除を行うときの正面図、（ｂ）水抜きを行うときの正面図である。
【符号の説明】
【００２５】
１    排水管
１０  掃除口付き排水管
１１  主管
１２  枝管
１２ａ  開口
１３  蓋
１４  継手部材
１５  補強部材
１６  継手本体
１７  ボディキャップ
１８  キャップナット
【図１】
2005232929.tif 000003
【図２】
2005232929.tif 000004
【図３】
2005232929.tif 000005